(57)【要約】【課題】メンテナンス時の作業員の労力を低減できる自動販売機を提供する。【解決手段】自動販売機１は、前面が開口した本体キャビネット２と、本体キャビネット２内部に設けられた商品収容庫２１と、本体キャビネット２の前面に開閉可能に取り付けられ本体キャビネット２の開口を閉塞する外扉３と、商品収容庫２１の前面を閉塞する内扉３０と、外扉３に設けられた窓部１７を通して利用者が表示画面を視認できる態様で、内扉３０前面に取付けられた表示手段４０と、外扉３の開閉を検知する外扉開閉検知手段３１と、内扉３０の開閉を検知する内扉開閉検知手段３２と、外扉開閉検知手段３１及び内扉開閉検知手段３２による扉の開閉の検知に応じて、自動販売機の状態を商品販売モード又はメンテナンスモードに切り換え、各モード毎に表示手段４０に表示させる情報を切り換える制御手段とを備える。【選択図】        図２
2008097211.tif 000002
【特許請求の範囲】
【請求項１】
前面が開口した本体キャビネットと、該本体キャビネット内部に設けられた商品収容庫と、該本体キャビネットの前面に開閉可能に取り付けられ前記開口を閉塞する外扉と、該商品収容庫の前面を閉塞する内扉とを備えた自動販売機において、
前記外扉に設けられた窓部を通して利用者が表示画面を視認できる態様で、前記内扉前面に取付けられた表示手段と、
前記外扉の開閉を検知する外扉開閉検知手段と、
前記内扉の開閉を検知する内扉開閉検知手段と、
前記外扉開閉検知手段及び内扉開閉検知手段による扉の開閉の検知に応じて、自動販売機の状態を商品販売モード又はメンテナンスモードに切り換え、各モード毎に前記表示手段に表示させる情報を切り換える制御手段と
を備えたことを特徴とする自動販売機。
【請求項２】
前記制御手段は、
前記外扉開閉検知手段及び前記内扉開閉検知手段がともに扉の閉鎖状態を検知した場合に前記商品販売モードに切り換え、利用者に対する商品宣伝情報を前記表示手段に表示させることを特徴とする請求項１に記載の自動販売機。
【請求項３】
前記制御手段は、
前記外扉開閉検知手段が扉の開放状態を検知し、且つ、前記内扉開閉検知手段が扉の閉鎖状態を検知した場合に前記メンテナンスモードに切り換え、自動販売機のメンテナンス情報を前記表示手段に表示させることを特徴とする請求項１に記載の自動販売機。
【請求項４】
前記制御手段は、
前記外扉開閉検知手段及び前記内扉開閉検知手段がともに扉の開放状態を検知した場合に、商品補充モードに切り換えることを特徴とする請求項１に記載の自動販売機。
【請求項５】
前記制御手段は、
前記商品補充モードにおいて前記表示手段の画面を非表示状態にすることを特徴とする請求項４に記載の自動販売機。
【請求項６】
商品を選択するための複数の商品選択釦を備え、
前記メンテナンスモードにおいて、前記商品選択釦を、自動販売機の設定を入力するための釦として用いることを特徴とする請求項１に記載の自動販売機。
【発明の詳細な説明】
【技術分野】
【０００１】
本発明は自動販売機に関するものである。
【背景技術】
【０００２】
従来、自動販売機のメンテナンスは、作業員が外扉を開放し、外扉の背面側に格納されたリモコンを操作することによって行われる。このリモコンは、例えばテンキーのような入力キーと、これらの入力キーを用いて自動販売機の制御部から読み出した設定情報を表示する液晶画面等の表示器とを備えたものである。メンテナンス作業を行う際、作業員はまず、リモコンの「モード」キーを押すことにより、自動販売機を商品販売モードからメンテナンスモードに切り換え、リモコンの表示器に自動販売機の各種設定情報を表示させる。次いで、この設定情報に基づいて自動販売機のメンテナンス作業を行う。自動販売機のメンテナンス作業とは、例えば、複数の商品選択釦及び複数の商品ラックを対応付ける設定とその後の確認設定等である。メンテナンス作業終了後に、作業員がリモコンの「終了」キーを押すことにより、自動販売機をメンテナンスモードから商品販売モードに切り換え、外扉を閉じてメンテナンス作業を完了させる。このメンテナンス作業時に用いるリモコンは、表示器を内蔵するために大型であり、リモコンの消費電力も大きくなる。そこで、自動販売機の外扉前面に設けられた金額表示器を利用し、制御部から読み出した設定情報をこの金額表示器に表示させることにより、リモコンの表示器を不要にした自動販売機が特許文献１に開示されている。
【０００３】
【特許文献１】特開平７−１２１７５５号公報
【発明の開示】
【発明が解決しようとする課題】
【０００４】
ところで、上述したリモコンに設けられた表示器の液晶画面は小さく、作業員は画面に表示された設定情報を見るために画面をスクロールさせる必要があり、その分作業の労力が増大してしまう。一方、特許文献１の自動販売機では、外扉前面に設けられた金額表示器に設定情報を表示させることにより、リモコンの表示器を用いる必要がなくなり、これによりリモコンの小型化、低消費電力化を図っている。しかしながら、通常、自動販売機の金額表示器には７セグメントの表示器を適用しており、表示内容及び表示桁数に制限がある上、金額表示器が外扉前面に設置されているため作業員が設定情報を見る場合には外扉の前面に回って見る必要がある。従って、特許文献１の自動販売機においてもメンテナンス作業の労力は軽減されていない。
【０００５】
また、上述したように、メンテナンス作業開始時及び作業完了時には、作業員がリモコンの「モード」キー及び「終了」キーを押さないと、商品販売状態とメンテナンス状態の切り換えが行われず、リモコン操作が煩わしいという問題がある。
【０００６】
本発明は、上記の点に鑑み、メンテナンス時の作業員の労力を低減させることのできる自動販売機を提供することを目的とする。
【課題を解決するための手段】
【０００７】
本発明の請求項１に係る自動販売機は、前面が開口した本体キャビネットと、該本体キャビネット内部に設けられた商品収容庫と、該本体キャビネットの前面に開閉可能に取り付けられ前記開口を閉塞する外扉と、該商品収容庫の前面を閉塞する内扉とを備えた自動販売機において、前記外扉に設けられた窓部を通して利用者が表示画面を視認できる態様で、前記内扉前面に取付けられた表示手段と、前記外扉の開閉を検知する外扉開閉検知手段と、前記内扉の開閉を検知する内扉開閉検知手段と、前記外扉開閉検知手段及び内扉開閉検知手段による扉の開閉の検知に応じて、自動販売機の状態を商品販売モード又はメンテナンスモードに切り換え、各モード毎に前記表示手段に表示させる情報を切り換える制御手段と、を備えたことを特徴とする。
【０００８】
また、本発明の請求項２に係る自動販売機は、上記請求項１において、前記制御手段は、前記外扉開閉検知手段及び前記内扉開閉検知手段がともに扉の閉鎖状態を検知した場合に前記商品販売モードに切り換え、利用者に対する商品宣伝情報を前記表示手段に表示させることを特徴とする。
【０００９】
また、本発明の請求項３に係る自動販売機は、上記請求項１において、前記制御手段は、前記外扉開閉検知手段が扉の開放状態を検知し、且つ、前記内扉開閉検知手段が扉の閉鎖状態を検知した場合に前記メンテナンスモードに切り換え、自動販売機のメンテナンス情報を前記表示手段に表示させることを特徴とする。
【００１０】
また、本発明の請求項４に係る自動販売機は、上記請求項１において、前記制御手段は、前記外扉開閉検知手段及び前記内扉開閉検知手段がともに扉の開放状態を検知した場合に、商品補充モードに切り換えることを特徴とする。
【００１１】
また、本発明の請求項５に係る自動販売機は、上記請求項４において、前記制御手段は、前記商品補充モードにおいて前記表示手段の画面を非表示状態にすることを特徴とする。
【００１２】
また、本発明の請求項６に係る自動販売機は、上記請求項１において、前記制御手段は商品を選択するための複数の商品選択釦を備え、前記メンテナンスモードにおいて、前記商品選択釦を、自動販売機の設定を入力するための釦として用いることを特徴とする。
【発明の効果】
【００１３】
本発明に係る自動販売機によれば、外扉及び内扉の開閉状態によって表示手段に表示する情報を切り換えるようにしたことで、メンテナンス開始時及び完了時に作業員がリモコンのキー入力操作を行わなくても、自動的に商品宣伝情報とメンテナンス情報の切り換えを行うことが可能となる。また、商品宣伝情報を表示する表示手段を、メンテナンス情報を表示する表示手段として兼用することにより、リモコンの小さな表示器に表示させる場合と比べてメンテナンス情報が見やすくなる。さらに、表示器を内扉前面に設置したことで、メンテナンス情報を見るために外扉の前面に回る必要がなくなる。その結果、メンテナンス時の作業員の労力を低減させることができる。
【発明を実施するための最良の形態】
【００１４】
以下に図面を参照して、本発明の自動販売機の好適な実施の形態を詳細に説明する。
【００１５】
図１は本発明の実施の形態である自動販売機の正面図であり、図２は図１に示した自動販売機の外扉を開放した状態を示す斜視図、図３は本実施の形態の自動販売機のブロック図である。ここで例示する自動販売機１は、複数種類の缶入り飲料、ペットボトル入り飲料等の商品を販売するためのものであり、本体キャビネット２、外扉３及び内扉３０を備えている。本体キャビネット２は、複数の鋼板を組み合わせることによって構成したもので、前面が開口した断熱構造の箱状を成している。図２に示すように、本体キャビネット２の内部には、複数の商品収容ラック２１ａを備えた商品収容庫２１及び商品搬出部２２が設けられている。商品収納ラック２１ａは、例えばサーペンタイン式と称される、上下方向に沿って蛇行状に延在するもので、複数種類の商品を個別に収納する一方、商品払出指令が与えられた場合に対応する商品の払い出しを行う。商品搬出部２２は、商品収容ラック２１ａから商品を商品取出口７に払い出すためのものである。なお、図には明示されていないが、本体キャビネット２の下方となる領域には、商品収容ラック２１ａに収納した商品を所望の温度に維持するための冷却ユニットや加熱ユニットが設けられている。
【００１６】
外扉３は、本体キャビネット２の前面開口を閉塞するためのもので、開閉可能となる態様で本体キャビネット２の一側縁部に保持させてある。外扉３の前面側には、紙幣投入口４、硬貨投入口５、金額表示器６、商品取出口７、返却レバー８、硬貨返却口９が設けられている。紙幣投入口４は利用者が紙幣を投入するための開口であり、硬貨投入口５は利用者が硬貨を投入するための開口であり、返却レバー８は硬貨投入口５又は紙幣投入口４から投入した貨幣を返却指示、あるいは釣銭の返却指示をするためのものであり、硬貨返却口９は釣銭となる硬貨を利用者に返却するための開口である。金額表示器６は、利用者が投入した貨幣の入金額や釣銭の金額等、商品を販売する上で必要となる各種情報を外部に表示するためのものであり、例えば液晶表示器によって構成されている。商品取出口７は、本体キャビネット２から払い出された商品を利用者が取り出すための開口である。
【００１７】
また、外扉３の前面には、その上方部にディスプレイウィンドウ１０が設けられている。ディスプレイウィンドウ１０は、前面が透明板１１によって覆われた窓であり、その内部に左右方向に沿って商品見本１２を陳列した陳列棚１３が複数段設けられており、各陳列棚１３の商品見本１２は、透明板１１を通じて外部から視認することができる。透明板１１の前面には、それぞれの陳列棚１３に対応して販売商品を選択するための押釦ユニット１４が設けられている。図１に示すように、押釦ユニット１４は、ケーシングと、ケーシング１５に対して押動操作可能に配設された複数の商品選択釦１６とを具え、支持部材（図示せず）によって透明板１１に支持させることにより、利用者に対して各商品見本１２に対応した商品選択釦１６を個別に提供するためのものである。
【００１８】
図１に示すように、ディスプレイウィンドウ１０内の中段を構成する陳列棚１３の中央となる位置には、金額表示器６よりも大型の表示画面を有する表示器４０が配置されている。この表示器４０は、通常の商品販売時において、新商品の広告映像や販売商品の宣伝情報等（以下、これを「商品宣伝情報」という。）を表示画面に表示させることにより、利用者に対して商品の販売促進を図るためのものである。また、後述するように、この表示器４０は、メンテナンス時において、作業員に対して自動販売機の各種設定情報（以下、これを「メンテナンス情報」という。）を表示するためにも用いられるものである。表示器４０は、例えば液晶表示器やＬＥＤ表示器によって構成され、本実施の形態では、外扉３のディスプレイウィンドウ１０内に設けられた窓部１７を通して利用者が表示画面を視認できる態様で、後述する内扉３０Ａの前面に取り付けられている。
【００１９】
また、外扉３の背面側には、紙幣投入口４を通じて投入された紙幣の金種を識別するビルバリデータ２３と、硬貨投入口５から投入された硬貨の金種を識別するコインメカニズム２４、及び、リモコン２５が設けてある。リモコン２５は、作業員が自動販売機のメンテナンスを行う際に、自動販売機の各種設定を入力するためのものであり、操作入力部２６として複数のキースイッチを備えている。このリモコン２５によって入力された設定情報は、後述する自動販売機の主制御部３０を通じて記憶部に格納される。
【００２０】
内扉３０は、外扉３の内面側に配置されており、本体キャビネット２に設けた商品収容庫２１の前面の開口を覆うに十分な大きさを有したもので、鋼材によって断熱性を備えて構成されている。図２に例示した自動販売機１では、内扉３０が上下３０Ａ，３０Ｂに分割され、それぞれが個別に開閉できるようになっている。
【００２１】
上側の内扉３０Ａは、一側端がヒンジを介して本体キャビネット２側に取り付けられ、他側端が商品収容庫２１の前面の開口に対して開閉移動する開閉端をなす片開き式として構成されている。この内扉３０Ａは、商品収容庫２１の前面開口の上部領域すなわち複数の商品投入口２６部分を閉塞するものであり、内扉３０Ａを開放した場合には、各商品投入口２６からの商品の補充作業を行うことができる。
【００２２】
また、内扉３０Ａの前面側の中央位置には、上述した表示器４０が取り付けられている。表示器４０は、外扉３及び内扉３０がともに閉塞された状態のときに、外扉３に設けられた窓部１７を通して利用者が表示画面を視認できるように配置される。
【００２３】
下側の内扉３０Ｂは、内扉３０Ａと同様に、一側端がヒンジを介して本体キャビネット２側に取り付けられ、他側端が商品収納庫２１の前面の開口に対して開閉移動する開閉端をなす片開き式として構成され、商品収容庫２１の前面開口の下部領域を閉塞するものである。なお、本実施例では、内扉３０を上下に分割した構成を一例としているが、上下の内扉３０Ａ，３０Ｂに分割しない一つの内扉３０として構成して、商品収容庫２１の前面開口を閉塞する形態としてもよい。
【００２４】
図１及び図２には示されていないが、本体キャビネット２の内部には、外扉３の開閉を検知する外扉スイッチ３１と、内扉３０の開閉を検知する内扉スイッチ３２とが設置されている（図３を参照）。なお、本実施の形態では、内扉スイッチ３２は、上側の内扉３０Ａの開閉のみを検知するようにしている。この外扉スイッチ３１及び内扉スイッチ３２は、例えばリミットスイッチ、近接スイッチ等のスイッチにより構成される。
【００２５】
上述した表示器４０、金額表示器６、外扉スイッチ３１、内扉スイッチ３２、コインメカニズム２４、ビルバリデータ２３、商品選択釦１６、商品搬出部２２及びリモコン２５は、図３に示すように、全体の制御を統括する主制御部５０に接続してあり、主制御部５０により直接制御される。
【００２６】
また、主制御部５０は、判断手段５１と、切換手段５２と、商品の販売情報や自動販売機の設定情報等の情報を記憶する記憶部（図示せず）とを有している。判断手段５１は、外扉スイッチ３１と内扉スイッチ３２から出力される検知信号に基づいて、自動販売機の外扉３及び内扉３０Ａが開放された状態であるか、閉じられた状態であるかを判断するものである。
【００２７】
切換手段５２は、外扉３及び内扉３０Ａの開閉状態に応じて、表示器４０の表示内容を切り換えるものである。すなわち、外扉３及び内扉３０Ａがともに閉じられた状態であると判断手段５１が判断した場合に、商品宣伝情報を表示画面に表示させ、また、外扉３が開放された状態であり、且つ、内扉３０Ａが閉じられた状態であると判断手段５１が判断した場合に、上記の商品の宣伝情報からメンテナンス情報の表示に切り換え、さらに、外扉３及び内扉３０Ａがともに開放された状態であると判断手段５１が判断した場合に、上記のメンテナンス情報の表示から非表示状態に切り換え、外扉３及び内扉３０Ａがともに再び閉じられた場合には、非表示状態から商品宣伝情報の表示に切り換えるものである。
【００２８】
次に、図４及び図５を参照して、本実施の形態の自動販売機１の作用を説明する。なお、図４は本実施の形態の自動販売機１の外扉３及び内扉３０Ａの開閉状態を示す概略図であり、図５は図４を側方から見た図であり、外扉スイッチ３１及び内扉スイッチ３２による扉の開閉状態の検知を示す概念図である。なお、図４及び図５では、検知対象である上側の内扉３０Ａの開閉に伴って下側の内扉３０Ｂも開閉する形態が示されている。
【００２９】
自動販売機１は、外扉３及び内扉３０がともに閉じられた状態、すなわち、通常の商品販売可能な状態が初期状態となる。以下、この状態を「商品販売モード」という（図４及び図５の（ａ）を参照）。従って、判断手段５１は、外扉３及び内扉３０がともに閉鎖状態であると判断し、表示器４０の表示画面に商品宣伝情報が表示可能な状態になる。この商品販売モードにおいて、自動販売機１の硬貨投入口５又は紙幣投入口４から商品価格以上の硬貨又は紙幣が投入されると、自動販売機１が販売待機状態から販売動作状態に移行し、決済処理をすることになる。すなわち、主制御部５０は、販売可能な商品に対応する商品選択釦１６を点灯するとともに商品選択釦の押下を有効にする。利用者によって商品選択釦１６が押下されると、制御部５０は、商品搬出部２２を通じて商品選択釦１６に対応する商品を商品収容ラック２１ａから商品取出口７に搬出させ、釣銭がある場合には返却口９に釣銭を返却する。ここで、主制御部５０は、表示器４０の表示画面に商品宣伝情報を表示させる。表示器４０は内扉３０Ａに取り付けられているが、外扉３及び内扉３０がともに閉じられている場合、利用者は、ディスプレイウィンドウ１０中央の窓部１７を通して、表示器４０に表示された商品宣伝情報を視認することができ、これによって利用者に対する販売促進が図られる。
【００３０】
次に、外扉２が開放された場合には、外扉スイッチ３１は外扉３が開放されたことを検知し、且つ、内扉スイッチ３２は内扉３０が閉じられた状態であることを検知する。これによって、判断手段５１は、外扉３が開放状態且つ内扉３０が閉鎖状態であると判断し、切換手段５２は、表示器４０の表示を商品宣伝情報からメンテナンス情報に切り換え、メンテナンス作業を行うことが可能な状態となる。以下、これを「メンテナンスモード」という（図４及び図５の（ｂ）の状態）。このメンテナンスモードでは、作業員が内扉３０Ａに取り付けられた表示器４０のメンテナンス情報を参照しながら作業を進めることになる。例えば、商品販売モードからメンテナンスモードに切り換わったときに、まずメンテナンス情報の一覧項目を表示器４０に表示させるようにする。メンテナンスの項目としては、例えば、商品売上情報の表示、売上の集計、販売価格の設定、商品収容ラックと商品選択釦とを関連付けるコラム設定、販売テスト、販売休止設定等がある。作業員がリモコン２５の操作入力部２６を用いて、上記項目の中から所望の項目番号、例えば商品売上情報の表示に該当する番号を入力すると、表示画面に商品収容ラック２１ａごとの商品販売本数が表示される。
【００３１】
メンテナンス作業が完了した後、外扉３が閉じられた場合には、判断手段５１は、外扉３及び内扉３０がともに閉鎖状態であると判断し、切換手段５２は、表示器４０の表示をメンテナンス情報から商品宣伝情報に切り換え、これによってメンテナンスモードから商品販売モードに移行する（図４及び図５の（ａ）の状態）。
【００３２】
一方、メンテナンスモードの状態から、さらに内扉３０が開放された場合には、外扉スイッチ３１及び内扉スイッチ３２はともに扉が開放されたことを検知する。これによって、判断手段５１は、外扉３及び内扉３０がともに開放状態であると判断し、切換手段５２は、表示器４０の電源をオフにし、メンテナンス情報の表示から非表示状態に切り換える。以下、商品収容庫２１に商品補充可能な状態を「商品補充モード」という。（図４及び図５の（ｃ）の状態）。この商品補充モードでは、作業員が商品収容庫２１の商品投入口２６から商品を投入する作業を進めることになる。
【００３３】
この商品補充モードにおいては、例えば以下のようにして商品を補充する。予め各商品収容ラック２１ａの満杯数を設定しておき、商品が１個販売されるたびに残数が１個減算されるようになっている場合、各商品収容ラック２１ａが必ず満杯になるまで商品を補充した後、リモコン２５をキー操作することにより、残数を満杯数（初期値）に戻す。この場合、リモコン操作する替りに、商品補充後に内扉３０を閉めることにより（すなわちメンテナンスモードに移行した時点で）自動的に満杯数（初期値）となるようにしてもよい。また、販売本数を管理している場合には、メンテナンスモード時に前回の商品補充以降に販売された販売本数を表示器４０に表示させ、これを確認した後に内扉３０を開けて販売本数と同数の商品を補充し、補充後にリモコン操作して販売本数をリセットする。この場合も、リモコン操作する替りに、商品補充後に内扉３０を閉めることにより自動的に商品販売本数がリセットされるようにしてもよい。
【００３４】
商品補充作業が完了した後、内扉３０が閉じられた場合には、判断手段５１は、外扉３が開放状態、且つ、内扉３０が閉鎖状態であると判断し、切換手段５２は、表示器４０の表示を非表示状態からメンテナンス情報の表示に切り換え、商品補充モードからメンテナンスモードに移行する。従って、作業員は再度メンテナンス作業を行うことが可能となる（図４及び図５の（ｂ）の状態）。
【００３５】
ここで、さらに外扉３が閉じられた場合には、判断手段５１は、外扉３及び内扉３０がともに閉鎖状態であると判断し、切換手段５２は、表示器４０の表示をメンテナンス情報から商品宣伝情報に切り換え、メンテナンスモードから商品販売モードに移行する（図４及び図５の（ａ）の状態）。
【００３６】
本実施の形態の自動販売機によれば、外扉３及び内扉３０の開閉状態によって表示器４０に表示する情報を切り換えるようにしたことで、メンテナンス開始時及び完了時に作業員がリモコン２５のキー入力操作を行わなくても、自動的に商品宣伝情報とメンテナンス情報の切り換えを行うことができるようになる。すなわち、通常の商品販売時においては、ディスプレイウィンドウ１０に配置された表示器４０に商品宣伝情報を表示させ、作業員によって外扉のみが開放された場合には、表示器４０の表示が商品宣伝情報からメンテナンス情報に自動的に切り換えられ、この後、作業員が外扉３を閉じた場合には、表示器４０の表示がメンテナンス情報から再び商品宣伝情報に自動的に切り換わる構成としたので、メンテナンス作業開始時及び完了時のリモコン操作が不要になり、作業員の労力を低減させることができる。
【００３７】
また、表示器４０を、外扉３に設けられた窓部１７を通して利用者が表示画面を視認できる態様で内扉前面に取付ける構成としたので、通常の商品販売時には利用者が商品宣伝情報を視認できるとともに、メンテナンス時には作業員がメンテナンス情報を参照しながら作業を進めることができる。さらに、リモコンの表示部よりも大型の表示画面にメンテナンス情報を表示させるようにしたので、リモコンの表示部に表示させる場合と比べて、情報が見やすくなるから、メンテナンス作業を効率よく行うことができる。
【００３８】
加えて、作業員が商品を補充するために外扉３及び内扉３０の両方を開放した場合には、表示器４０を非表示状態とする構成にしたので、自動販売機の消費電力を低減させることができる。
【００３９】
なお、上記実施の形態では、表示器４０の表示をメンテナンス情報に切り換えた後、メニューから所望の情報を選択したり、自動販売機の各種設定を入力する際にリモコン２５の操作入力部２６を用いたが、以下の構成とすることにより、リモコン２５からの入力操作を不要にすることができる。例えば、押釦ユニット１４を内扉３０の前面側に取り付けるとともに、外扉３及びディスプレイウィンドウ１０に、当該押釦ユニット１４を挿通させる開口をそれぞれ設けることにより、商品販売時において、この開口を通して利用者が商品選択釦１６を押下できる構成とする。そして、メンテナンス時には、この内扉３０に取り付けられた商品選択釦１６を、作業員がメンテナンス情報メニューを選択又は各種設定を入力するための釦として機能させる。これにより、作業員は、商品選択釦１６を押下することによって自動販売機の設定確認を行うことができるようになるので、リモコン２５を削除することが可能となる。この場合の設定方法の一例としては、商品補充時に補充する商品が足らない等の理由により、ある商品収容ラック２１ａが満杯にならなかった場合、内扉３０を閉めてメンテナンスモードに移行させた後に、該当する商品選択釦１６を補充本数分の回数（例えば補充本数が１０本の場合は１０回）だけ押すことにより、補充後の在庫数を満杯数として設定することができる。
【００４０】
また、表示器４０を液晶タッチパネルで構成した場合には、メンテナンス時に作業員が液晶画面を押圧操作することにより各種設定を入力することが可能になるから、上記と同様にリモコン２５を削除することが可能となる。
【００４１】
また、上記の実施形態では、外扉３及び内扉３０がともに開放された場合（商品補充時）に、表示器４０を非表示状態とする構成にしたが、他の構成としてもよい。例えば、外扉３及び内扉３０がともに開放された場合に、表示器４０の表示画面に商品収容ラック２１ａごとの商品補充数を表示させる構成とすれば、商品補充時の作業をより効率よく行うことが可能となる。
【図面の簡単な説明】
【００４２】
【図１】本発明の実施の形態である自動販売機の正面図である。
【図２】本発明の実施の形態である自動販売機の斜視図である。
【図３】本発明の実施の形態である自動販売機のブロック図である。
【図４】本発明の実施の形態である自動販売機の外扉及び内扉の開閉状態を示す概略図である。
【図５】図４を側方から見た図であり、外扉スイッチ及び内扉スイッチによる扉の開閉状態の検知を示す概念図である。
【符号の説明】
【００４３】
１    自動販売機
２    本体キャビネット
３    外扉
１６  商品選択釦
１７  窓部
２１  商品収容庫
３０  内扉
３１  外扉開閉検知手段
３２  内扉開閉検知手段
４０  表示手段
５２  制御手段（切換手段）
【図１】
2008097211.tif 000003
【図２】
2008097211.tif 000004
【図３】
2008097211.tif 000005
【図４】
2008097211.tif 000006
【図５】
2008097211.tif 000007